(57)【要約】【課題】データを送信するための環境が不安定な場合に、データ送信処理の成功率を向上させることのできる携帯端末、データ送信システムおよびデータ送信方法を提供することを目的とする。【解決手段】電池残量測定部１１は、携帯端末１０を駆動する電池の残り容量である電池残量を測定する。データ分割部１４は、電池残量測定部１１によって測定された電池残量に基づいてデータを分割して分割データを生成する。データ送信部１５は、データ分割部１４により生成された分割データを送信する。このようにして、電池残量が少ない場合にデータ送信処理が中断する確率を減少させ、データ送信処理の成功率を向上させる。【選択図】図３
2013207502.tif 000002
【特許請求の範囲】
【請求項１】
内蔵する電池によって駆動され、無線ネットワークを介して接続された外部装置にデータを送信する携帯端末であって、
前記電池の残り容量である電池残量を測定する電池残量測定手段と、
前記電池残量測定手段によって測定された電池残量に基づいてデータを分割して分割データを生成する分割手段と、
前記分割手段により生成された分割データを送信する送信手段と、
を備える携帯端末。
【請求項２】
前記携帯端末の処理負荷を測定する負荷測定手段をさらに備え、
前記分割手段は、前記負荷測定手段によって測定された処理負荷が所定の値以上である場合に、データを分割することを特徴とする請求項１に記載の携帯端末。
【請求項３】
前記携帯端末で受信する電波強度を測定する電波強度測定手段をさらに備え、
前記分割手段は、前記電波強度測定手段によって測定された電波強度に応じてデータを分割することを特徴とする請求項１または２に記載の携帯端末。
【請求項４】
前記送信手段は前記無線ネットワークの通信速度の測定に先立って所定のサイズのデータを送信し、
前記分割手段は、前記所定のサイズのデータの送信が完了するまでの時間に基づいて前記無線ネットワークの通信速度を測定し、前記通信速度に基づいて所定時間内に送信可能なデータサイズを算出し、前記送信可能なデータサイズで分割データを生成することを特徴とする請求項１〜３のいずれか１項に記載の携帯端末。
【請求項５】
前記無線ネットワークの種別を判定するネットワーク種別判定手段をさらに備え、
前記分割手段は、前記ネットワーク種別判定手段によって判定された無線ネットワークの種別に基づいて、分割するデータの種類を所定の種類に制限し、
前記送信手段は、前記所定の種類以外のデータを送信しないことを特徴とする請求項１〜４のいずれか１項に記載の携帯端末。
【請求項６】
内蔵する電池によって駆動される携帯端末と、
前記携帯端末と無線ネットワークを介して接続されるサーバ装置と、を具備し、
前記携帯端末は、
前記電池の残り容量である電池残量を測定する電池残量測定手段と、
前記電池残量測定手段によって測定された電池残量に基づいてデータを分割して分割データを生成する分割手段と、
前記分割手段により生成された分割データを送信する送信手段と、を備え、
前記サーバ装置は、
前記携帯端末から送信された分割データを受信する受信手段と、
前記受信手段により受信された分割データを結合する結合手段と、を備えるデータ送信システム。
【請求項７】
内蔵する電池によって駆動され、無線ネットワークを介して接続された外部装置にデータを送信する携帯端末におけるデータ送信方法であって、
前記電池の残り容量である電池残量を測定する電池残量測定ステップと、
前記電池残量測定ステップにおいて測定された電池残量に基づいてデータを分割して分割データを生成する分割ステップと、
前記分割ステップにおいて生成された分割データを送信する送信ステップと、
を備えるデータ送信方法。
【発明の詳細な説明】
【技術分野】
【０００１】
本発明は、データを送信する携帯端末、およびこの携帯端末を備えたデータ送信システムならびにデータ送信方法に関する。
【背景技術】
【０００２】
従来、ネットワークを介して接続された装置間において大容量のデータを送信する場合において、送信側の装置がデータを分割して、分割された分割データを送信し、受信側の装置が、送信側の装置から受信した分割データを結合してデータを復元する技術が知られている。
【０００３】
例えば、特許文献１に記載の技術においては、ファイル送信装置からファイル受信装置へデータを送信する場合に、ファイル送信装置が、ファイルを分割した後、分割されたファイルを複数のパスを介して並列に送信し、ファイル受信装置が、分割されたファイルを受信し、受信したファイルを結合して元のファイルを復元することにより、不安定な通信環境下において大容量ファイルを送信することを可能としている。
【先行技術文献】
【特許文献】
【０００４】
【特許文献１】特開２０１０−６７０１５号公報
【発明の概要】
【発明が解決しようとする課題】
【０００５】
ところで、近年では、携帯端末から無線通信ネットワークを介してサーバ装置などに画像や動画などの大容量のデータを送信する機会が増えている。そこで、特許文献１の技術を携帯端末に適用することが考えられる。
【０００６】
しかしながら、携帯端末は、所定の位置に固定して使用される固定端末と比較して、例えば、電源供給が不安定である、ＣＰＵ（Central Processing Unit）の処理能力が低い、ＲＡＭ（RandomAccess Memory）の記憶容量が小さいなどの特性を有するため、ファイル送信装置を携帯端末とした場合には、携帯端末が有する上記の特性によりデータ送信処理の中断が生じ、この結果、データ送信処理が失敗する場合がある。特許文献１の技術では、このような携帯端末に特有のデータ送信処理の中断を解消することができない。
【０００７】
そこで、上述の課題を解決するために、本発明は、データ送信処理の成功率を向上させることのできる携帯端末、データ送信システムおよびデータ送信方法を提供することを目的とする。
【課題を解決するための手段】
【０００８】
上述の課題を解決するために、本発明の携帯端末は、内蔵する電池によって駆動され、無線ネットワークを介して接続された外部装置にデータを送信する携帯端末であって、電池の残り容量である電池残量を測定する電池残量測定手段と、電池残量測定手段によって測定された電池残量に基づいてデータを分割して分割データを生成する分割手段と、分割手段により生成された分割データを送信する送信手段と、を備える。
【０００９】
また、本発明のデータ送信方法は、内蔵する電池によって駆動され、無線ネットワークを介して接続された外部装置にデータを送信する携帯端末におけるデータ送信方法であって、電池の残り容量である電池残量を測定する電池残量測定ステップと、電池残量測定ステップにおいて測定された電池残量に基づいてデータを分割して分割データを生成する分割ステップと、分割ステップにおいて生成された分割データを送信する送信ステップと、を備える。
【００１０】
この発明によれば、電池残量を測定し、測定された電池残量に基づいてデータを分割して分割データとし、分割データを送信する。このため、データ送信中に電池残量がゼロになることによりデータ送信処理が中断する確率が減少し、また、データ送信処理が中断した場合にも、データ送信処理の再開時には、未送信の分割データのみを送信すればよくなるので、データ送信処理の成功率を向上させることができる。
【００１１】
また、本発明の携帯端末は、携帯端末の処理負荷を測定する負荷測定手段をさらに備え、分割手段は、負荷測定手段によって測定された処理負荷が所定の値以上である場合に、データを分割することが好ましい。
【００１２】
この発明によれば、携帯端末の処理負荷を測定し、処理負荷が所定の値以上である場合に、データを分割するため、携帯端末の処理負荷が高い場合のデータ送信処理の成功率を向上させることができる。
【００１３】
また、本発明の携帯端末は、携帯端末で受信する電波強度を測定する電波強度測定手段をさらに備え、分割手段は、電波強度測定手段によって測定された電波強度に応じてデータを分割することが好ましい。
【００１４】
この発明によれば、携帯端末で受信する電波強度を測定し、電波強度に応じてデータを分割するため、携帯端末で受信する電波強度が弱い場合のデータ送信処理の成功率を向上させることができる。
【００１５】
また、本発明の携帯端末において、送信手段は無線ネットワークの通信速度の測定に先立って所定のサイズのデータを送信し、分割手段は、所定のサイズのデータの送信が完了するまでの時間に基づいて無線ネットワークの通信速度を測定し、通信速度に基づいて所定時間内に送信可能なデータサイズを算出し、送信可能なデータサイズで分割データを生成することが好ましい。
【００１６】
この発明によれば、送信手段が所定のサイズのデータを送信し、分割手段が、所定のサイズのデータの送信が完了するまでの時間に基づいて無線ネットワークの通信速度を測定し、通信速度に基づいて所定時間内に送信可能なデータサイズを算出し、送信可能なデータサイズで分割データを生成するため、通信速度に応じた最適なデータサイズでデータを分割して送信することができる。
【００１７】
また、本発明の携帯端末は、無線ネットワークの種別を判定するネットワーク種別判定手段をさらに備え、分割手段は、ネットワーク種別判定手段によって判定された無線ネットワークの種別に基づいて、分割するデータの種類を所定の種類に制限し、送信手段は、所定の種類以外のデータを送信しないことが好ましい。
【００１８】
この発明によれば、無線ネットワークの種別を判定し、無線ネットワークの種別に基づいて、分割するデータの種類を所定の種類に制限し、所定の種類以外のデータを送信しない。このため、通信速度の低い種別の無線ネットワークを使用してデータを送信する場合に、記憶容量の大きい種類のデータを送信して送信処理に長時間がかかることにより送信処理が中断してしまうことを防ぐことができ、データ送信処理の成功率を一層向上させることができる。
【００１９】
また、本発明のデータ送信システムは、内蔵する電池によって駆動される携帯端末と、携帯端末と無線ネットワークを介して接続されるサーバ装置と、を具備し、携帯端末は、電池の残り容量である電池残量を測定する電池残量測定手段と、電池残量測定手段によって測定された電池残量に基づいてデータを分割して分割データを生成する分割手段と、分割手段により生成された分割データを送信する送信手段と、を備え、サーバ装置は、携帯端末から送信された分割データを受信する受信手段と、受信手段により受信された分割データを結合する結合手段と、を備える。
【００２０】
この発明によれば、携帯端末は、電池残量を測定し、測定された電池残量に基づいてデータを分割して分割データとし、分割データを送信する。そして、サーバ装置は、携帯端末から送信された分割データを受信し、この分割データを結合する。したがって、携帯端末の電池残量が少ない場合にデータ送信中にデータ送信処理が中断する確率が減少し、また、データ送信処理が中断した場合にも、データ送信処理の再開時には、未送信の分割データのみを送信すればよくなるので、データ送信処理の成功率を向上させることができる。
【発明の効果】
【００２１】
本発明によれば、データを送信するための環境が不安定な場合にはデータを分割して送信するため、データ送信処理の成功率を向上させることができる。
【図面の簡単な説明】
【００２２】
【図１】本実施形態の携帯端末およびサーバ装置を具備するデータ送信システムを示すシステム構成図である。
【図２】携帯端末のハードウェア構成図である。
【図３】携帯端末およびサーバ装置の機能構成を示すブロック図である。
【図４】電池残量が所定のしきい値を下回る場合を模式的に示す図である。
【図５】分割された画像ファイルを模式的に示す図である。
【図６】本実施形態のデータ送信システムにおけるデータ送信処理を示すシーケンス図である。
【図７】本実施形態の変形例の携帯端末の機能構成を示す図である。
【図８】本実施形態の別の変形例の携帯端末の機能構成を示す図である。
【発明を実施するための形態】
【００２３】
以下、添付図面を参照しながら本発明の実施形態を説明する。可能な場合には、同一の部分には同一の符号を付し、重複する説明を省略する。
【００２４】
図１は、本実施形態の携帯端末１０およびサーバ装置２０（外部装置）を具備するデータ送信システム１を示すシステム構成図である。携帯端末１０とサーバ装置２０とは、移動通信網４０（無線ネットワーク）及び／又は図示しない有線ネットワークを介して接続されている。移動通信網４０は、例えば、第３世代携帯電話ネットワーク、ＬＴＥ（Long Term Evolution）携帯電話ネットワーク、無線ＬＡＮ（LocalArea Network）などである。そして、携帯端末１０は、移動通信網４０を利用して、サーバ装置２０にデータを送信する。
【００２５】
図２に、携帯端末１０のハードウェア構成を示す。携帯端末１０は、物理的には、ＣＰＵ１０１、ＲＡＭ１０２、ＲＯＭ１０３、入力装置１０４、出力装置１０５、通信モジュール１０６を含んで構成されている。携帯端末１０の各機能は、図２に示すＲＡＭ１０２などのハードウェア上に所定のコンピュータソフトウェアを読み込ませることにより、ＣＰＵ１０１の制御のもとで入力装置１０４、出力装置１０５、通信モジュール１０６、を動作させるとともに、ＲＡＭ１０２やＲＯＭ１０３におけるデータの読み出しおよびＲＡＭ１０２における書き込みを行うことで実現される。
【００２６】
以下、携帯端末１０およびサーバ装置２０の機能構成について説明する。図３は、携帯端末１０およびサーバ装置２０の機能構成を示す図である。携帯端末１０は、電池残量測定部１１（電池残量測定手段）、電波強度測定部１２（電波強度測定手段）、ネットワーク種別判定部１３（ネットワーク種別判定手段）、データ分割部１４（分割手段）、およびデータ送信部１５（送信手段）を含んで構成されている。
【００２７】
電池残量測定部１１は、携帯端末１０に内蔵されて携帯端末１０を駆動する電池の残り容量である電池残量を測定する部分である。電池残量測定部１１は、電池残量を測定して得た電池残量情報をデータ分割部１４に送信する。
【００２８】
電波強度測定部１２は、携帯端末１０で受信する電波強度を測定する部分である。電波強度測定部１２は、電波強度を測定して得た電波強度情報をデータ分割部１４に送信する。
【００２９】
ネットワーク種別判定部１３は、移動通信網４０の種類を判定する部分である。例えば、携帯端末１０がサーバ装置２０と第３世代携帯電話ネットワークを介して接続されている場合には、ネットワーク種別判定部１３は、移動通信網４０の種類を第３世代携帯電話ネットワークであると判定する。ネットワーク種別判定部１３は、移動通信網４０の種類を判定して得たネットワーク種別情報をデータ分割部１４およびデータ送信部１５に送信する。
【００３０】
データ分割部１４は、電池残量測定部１１によって測定された電池残量、およびネットワーク種別判定部１３によって判定されたネットワーク種別情報に応じて、データを分割する。
【００３１】
データ分割部１４は、電池残量が所定のしきい値（例えば３０％）を下回った場合、データを送信するための環境が不安定であると判定し、送信するデータを分割する。例えば、図４に示すように、電池残量測定部１１によって測定された電池残量が２０％であった場合には、データ分割部１４は、送信するデータを分割する。
【００３２】
また、データ分割部１４は、電波強度測定部１２によって測定された電波強度が所定の値以下である場合、又は、電波強度が安定しない場合には、データを送信するための環境が不安定であると判定し、送信するデータを分割する。
【００３３】
また、データ分割部１４は、ネットワーク種別判定部１３によって判定された移動通信網４０の種類が例えば第３世代携帯電話ネットワークなどの比較的低速なネットワークであった場合に、データを送信するための環境が不安定であると判定し、送信するデータを分割する。
【００３４】
データの分割処理は次のように行われる。まず、データ分割部１４がデータ送信部１５に適当なサイズの疑似データを送信させる。次に、データ分割部１４は、疑似データの送信処理が終了するまでの時間から、携帯端末１０からサーバ装置２０へ向かう上り回線の実測速度を算出する。そして、データ分割部１４は、上り回線の実測速度から、１秒以内に送信できるデータサイズを算出し、送信データをこのサイズに分割する。例えば、データ分割部１４は、疑似データを送信して上り回線の実測速度を２．４Ｍｂｐｓと算出する。そして、データ分割部１４は、この２．４Ｍｂｐｓの実測速度から、１秒以内に送信可能なファイルサイズを２５０キロバイトと算出し、図５に示すように、２メガバイトの記憶容量の画像ファイルを２５０キロバイトの８個のファイルに分割する。
【００３５】
また、データ分割部１４は、ネットワーク種別判定部１３によって判定された移動通信網４０の種類に基づいて、分割するデータの種類を所定の種類に制限する。具体的には、例えば、ネットワーク種別判定部１３が移動通信網４０の種類を比較的低速な第３世代携帯電話ネットワークであると判定した場合、データ分割部１４は、テキスト系の小容量のデータのみを送信対象としてユーザに提示し、画像、動画、音楽ファイルなどの大容量のデータをユーザに提示しない。また、この場合にはデータ送信部１５は、所定の種類以外のデータである画像、動画、音楽ファイルなどを送信しない。一方、ネットワーク種別判定部１３が移動通信網４０の種類を高速な無線ＬＡＮであると判定した場合、データ分割部１４は、画像、動画、音楽ファイルを含めたすべての種類のデータを送信対象としてユーザに提示する。
【００３６】
データ送信部１５は、データ分割部１４によって分割された分割データ、または分割されていないデータを、移動通信網４０を経由してサーバ装置２０に送信する部分である。また、データ送信部１５は、分割された分割データを送信する場合に、一部の分割データを送信した後に送信処理が中断した場合、送信処理が中断した時点で送信中だった分割データを記憶しておく。そして、データの送信処理が再開できるようになった場合に、送信中だった分割データから送信を再開する。
【００３７】
また、サーバ装置２０は、データ受信部２１（受信手段）、データ結合部２２（結合手段）およびデータ管理部２３を含んで構成されている。
【００３８】
データ受信部２１は、携帯端末１０のデータ送信部１５から送信されたデータを受信する部分である。データ受信部２１は、受信したデータをデータ結合部２２に送信する。
【００３９】
データ結合部２２は、データ受信部２１が受信したデータが携帯端末１０のデータ分割部１４によって分割された分割データであった場合に、この分割データを結合して、分割前のデータを復元する部分である。データ結合部２２は、復元して得たデータをデータ管理部２３に送信する。
【００４０】
データ管理部２３は、データ結合部２２から受信したデータを管理する部分である。
【００４１】
次に、このようにして構成される携帯端末１０におけるデータ送信方法について説明する。図６は、本実施形態において構成されたデータ送信システム１（携帯端末１０及びサーバ装置２０）におけるデータ送信処理を示すシーケンス図である。
【００４２】
まず、携帯端末１０において、電池残量測定部１１により測定された電池残量、電波強度測定部１２により測定された電波強度、およびネットワーク種別判定部１３により判定された移動通信網４０の種別に基づいて、データ分割部１４によりデータ送信環境が安定であるか否かが判定される（ステップＳ１：電池残量測定ステップ）。ここでは、電池残量がしきい値を下回っており、データ送信環境が不安定であると判定されるものとする。次に、データ分割部１４によりデータ送信部１５に疑似データを送信する指示が出され、データ送信部１５によりサーバ装置２０へ疑似データが送信される（ステップＳ２）。疑似データの送信が終了すると、データ分割部１４により、疑似データの送信に係った時間から上り回線の通信速度が算出され、算出された通信速度に基づいてデータ分割サイズが決定される（ステップＳ３）。そして、データ分割部１４により、送信されるデータが分割され、分割データとされる（ステップＳ４：分割ステップ）。ここでは、分割データの個数は８であり、分割データａ−１、ａ−２、・・・、ａ−８の８個の分割データが生成されるものとする。
【００４３】
次に、データ分割部１４により、データ送信部１５に分割情報を送信するように指示が出され、データ送信部１５により分割情報がサーバ装置２０に送信される（ステップＳ５）。この分割情報には、例えば、送信データを何個のデータに分割したかを示す個数情報が含まれる。サーバ装置２０では、データ受信部２１により分割情報が受信され、受信された分割情報が保存される（ステップＳ６）。
【００４４】
次に、データ分割部１４からデータ送信部１５に分割データａ−１、ａ−２、・・・、ａ−８が出力される。そして、データ送信部１５により分割データａ−１〜ａ−６の６個のデータが順次送信される（ステップＳ７：送信ステップ）。このとき、データ送信部１５では、分割データａ−６まで送信が完了していることが記憶される。そして、サーバ装置２０では、データ受信部２１により、分割データａ−１〜ａ−６が順次受信され、保存される。
【００４５】
次に、データ送信部１５により分割データａ−７が送信される（ステップＳ８）。このステップＳ８において、例えば電池切れによりデータ送信処理が中断した場合を考える。
【００４６】
携帯端末１０においては、分割データａ−６の送信完了から所定の時間（例えば４８時間）以内に次の分割データであるａ−７の送信を再開できなかった場合には、送信済みの分割データａ−１〜ａ−６が削除される（ステップＳ９）。また、サーバ装置２０においては、分割データａ−６の送信完了から所定の時間（例えば４８時間）以内に次の分割データであるａ−７の送信が再開されなかった場合には、データ受信部２１に保存されている受信済みの分割データａ−１〜ａ−６が削除される（ステップＳ１０）。
【００４７】
一方、電池が充電される、または電池が充電済みの電池に交換されるなどして、分割データａ−６の送信完了から４８時間以内に次の分割データであるａ−７の送信を再開できる状態になった場合には、データ送信部１５により、分割データａ−１〜ａ−６が送信済みであることが確認され（ステップＳ１１）、未送信の分割データａ−７およびａ−８が送信される（ステップＳ１２）。そして、サーバ装置２０において、データ受信部２１により、分割データａ−７およびａ−８が受信される。このようにして分割データａ−１〜ａ−８が全てデータ受信部２１により受信されると、データ受信部２１により、分割データａ−１〜ａ−８がデータ結合部２２に出力され、データ結合部２２により分割データａ−１〜ａ−８が結合され（ステップＳ１３）、携帯端末１０によって送信された元のデータが復元される。
【００４８】
以上のように、本実施形態の携帯端末１０およびこの携帯端末１０におけるデータ送信方法によれば、電池残量測定部１１が電池残量を測定し、データ分割部１４が測定された電池残量に基づいてデータを分割して分割データとし、データ送信部１５が分割データを送信するため、データ送信中に電池残量がゼロになることによりデータ送信処理が中断する確率が減少し、また、データ送信処理が中断した場合にも、データ送信処理の再開時には、データ送信部１５は未送信の分割データのみを送信すればよいので、データ送信処理の成功率を向上させることができる。
【００４９】
また、携帯端末１０によれば、電波強度測定部１２が携帯端末１０で受信する電波強度を測定し、データ送信部１５が電波強度に応じてデータを分割するため、携帯端末１０で受信する電波強度が弱い場合のデータ送信処理の成功率を向上させることができる。
【００５０】
また、携帯端末１０によれば、データ送信部１５が移動通信網４０の通信速度の測定に先立って所定のサイズのデータを送信し、データ分割部１４が、所定のサイズのデータの送信が完了するまでの時間に基づいて移動通信網４０の通信速度を測定し、所定時間内に送信可能なデータサイズを算出し、送信可能なデータサイズで分割データを生成するため、通信速度に応じた最適なデータサイズでデータを分割して送信することができる。
【００５１】
また、携帯端末１０によれば、ネットワーク種別判定部１３が移動通信網４０の種別を判定し、データ分割部１４が移動通信網４０の種別に基づいて、分割するデータの種類を所定の種類に制限し、データ送信部１５は所定の種類以外のデータを送信しないため、通信速度の低い種別の移動通信網４０を使用してデータを送信する場合に、記憶容量の大きい種類のデータを送信して送信処理に長時間がかかることにより送信処理が中断してしまうことを防ぐことができ、データ送信処理の成功率を一層向上させることができる。
【００５２】
なお、本発明の携帯端末の実施の態様は、上記で説明した実施形態のものに限られない。本発明の携帯端末は、例えば、図７に示す携帯端末１０Ａのように、ＲＡＭ使用率取得部１６（負荷測定手段）をさらに備えてもよい。このＲＡＭ使用率取得部１６は、ＲＡＭ１０２の使用率（処理負荷）を取得し、ＲＡＭ１０２の使用率の情報をデータ分割部１４に出力する部分である。そして、データ分割部１４は、ＲＡＭ使用率取得部１６によって取得されたＲＡＭ１０２の使用率が所定の値以上である場合に、データを分割して分割データを生成し、この分割データをデータ送信部１５に送信する。
【００５３】
このような携帯端末１０Ａによっても、携帯端末１０と同様の作用・効果を得ることができる。さらに、携帯端末１０Ａによれば、携帯端末１０Ａの処理負荷であるＲＡＭ１０２の使用率を取得し、ＲＡＭ１０２の使用率が所定の値以上、例えば８０％以上である場合にデータ分割部１４がデータを分割するため、携帯端末１０ＡのＲＡＭ１０２の使用率が高く、携帯端末１０Ａのデータ送信用アプリケーションが途中終了する可能性のある状況においても、データ送信処理の成功率を向上させることができる。
【００５４】
また、本発明の携帯端末は、例えば、図８に示す携帯端末１０Ｂのように、ＣＰＵ使用率取得部１７（負荷測定手段）をさらに備えてもよい。このＣＰＵ使用率取得部１７は、ＣＰＵ１０１の使用率（処理負荷）を取得し、ＣＰＵ１０１の使用率の情報をデータ分割部１４に出力する部分である。そして、データ分割部１４は、ＣＰＵ使用率取得部１７によって取得されたＣＰＵ１０１の使用率が所定の値以上である場合に、データを分割して分割データを生成し、この分割データをデータ送信部１５に送信する。
【００５５】
このような携帯端末１０Ｂによっても、携帯端末１０と同様の作用・効果を得ることができる。さらに、携帯端末１０Ｂによれば、携帯端末１０Ｂの処理負荷であるＣＰＵ１０１の使用率をＣＰＵ使用率取得部１７によって取得し、ＣＰＵ１０１の使用率が所定の値以上、例えば８０％以上である場合にデータ分割部１４がデータを分割するため、携帯端末１０ＢのＣＰＵ１０１の使用率が高く、携帯端末１０Ｂの処理速度が低下しやすい場合においても、データ送信処理の成功率を向上させることができる。
【００５６】
また、上記の実施形態において、データ分割部１４がデータの分割を行う場合に、まずデータ送信部１５に疑似データを送信させて上り回線速度を算出して分割データのサイズを決定するものとして説明を行ったが、データ送信部１５に送信させるデータを疑似データではなく、実際に送信したいデータの一部分としてもよい。また、このような処理を行わずに、データ分割部１４は分割データのサイズを固定値とし、常にこの固定値の大きさにデータを分割するようにしてもよい。
【符号の説明】
【００５７】
１…データ送信システム、１０…携帯端末、１１…電池残量測定部、１２…電波強度測定部、１３…ネットワーク種別判定部、１４…データ分割部、１５…データ送信部、１６…ＲＡＭ使用率取得部、１７…ＣＰＵ使用率取得部、２０…サーバ装置、２１…データ受信部、２２…データ結合部、４０…移動通信網。
【図１】
2013207502.tif 000003
【図２】
2013207502.tif 000004
【図３】
2013207502.tif 000005
【図４】
2013207502.tif 000006
【図５】
2013207502.tif 000007
【図６】
2013207502.tif 000008
【図７】
2013207502.tif 000009
【図８】
2013207502.tif 000010